(57)【要約】【課題】  楽な操作でカールを見栄えよく加工できるヘアーアイロンを提供する。【解決手段】  開閉可能な一対のアーム２に頭髪Ｈを挟む発熱部材４を設ける。発熱部材４を横断面「へ」の字形に形成し、発熱部材４の外面全体を加熱面とする。加熱面は、アーム２の長手方向に延びるエッジ９の両側に第１加熱面１０と第２加熱面１１とを含む。第１加熱面１０は第２加熱面１１よりも大きな面積で形成され、頭髪Ｈの先端部が第１加熱面１０で加熱された後に第２加熱面１１によって再加熱される。第１加熱面１０は、アーム２の開閉方向に対して３０°〜８０°の斜状に形成される。【選択図】図３
2014217748.tif 000002
【特許請求の範囲】
【請求項１】
開閉可能な一対のアームに頭髪を挟む発熱部材を設け、発熱部材により頭髪を梳いて整髪するヘアーアイロンにおいて、発熱部材がアームの開閉方向に対して斜めとなる加熱面を備えたことを特徴とするヘアーアイロン。
【請求項２】
前記発熱部材が横断面「へ」の字形に形成され、前記加熱面がアームの長手方向に延びるエッジの両側に第１加熱面と第２加熱面とを含むことを特徴とする請求項１記載のヘアーアイロン。
【請求項３】
前記第１加熱面が第２加熱面よりも大きな面積で形成され、頭髪の先端部が第１加熱面で加熱された後に第２加熱面により加熱されることを特徴とする請求項２記載のヘアーアイロン。
【請求項４】
前記アームの開閉方向に対する第１加熱面の角度が３０°〜８０°である請求項３記載のヘアーアイロン。
【請求項５】
前記発熱部材をアームの長手方向に延びる軸線の周りで傾動可能に支持する支持部材と、発熱部材の加熱面を相互に対称となる２つの傾斜位置に保持する保持部材とを備えた請求項１記載のヘアーアイロン。
【請求項６】
少なくとも一方のアームに送風ファンと冷風吹出口を設けた請求項１記載のヘアーアイロン。
【発明の詳細な説明】
【技術分野】
【０００１】
本発明は、整髪に使用する家庭用または業務用のヘアーアイロンに関する。
【背景技術】
【０００２】
従来、図１３に示すようなヘアーアイロン５１が知られている。このヘアーアイロン５１は、一対のアーム５２を開閉可能に備え、各アーム５２の内側に頭髪Ｈを挟む発熱部材５３を設け、発熱部材５３で頭髪Ｈを梳いて、カールを掛けたりするなど、希望の髪型に整髪できるようになっている。
【０００３】
なお、特許文献１には、２本のアームの先端部に一対の発熱部材を設け、一方の発熱部材を弾性部材でアームに対して変形可能に支持し、頭髪を発熱部材の全域に分散させる技術が記載されている。特許文献２には、一対の発熱部材の加熱面を湾曲させ、カールをきれいに仕上げる技術が提案されている。
【先行技術文献】
【特許文献】
【０００４】
【特許文献１】特開２００１−１３７０３８号公報
【特許文献２】特開２００４−３３７０２号公報
【発明の概要】
【発明が解決しようとする課題】
【０００５】
ところが、従来のヘアーアイロン５１によると、発熱部材５３がアーム５２の開閉方向（図１３のＡ−Ａ線方向）に対して直角に形成されているので、アーム５２を回す角度と頭髪Ｈが屈曲する角度とが等しくなる。このため、強いカールが求められる場合に、図１４に示すように、アーム５２を大きな角度で回す必要があり、それでも不十分な場合は、アーム５２を持ち直さなければならず、使用者に無理な操作を強いるという問題点があった。
【０００６】
そこで、本発明の目的は、楽な操作でカールを見栄えよく加工できるヘアーアイロンを提供することにある。
【課題を解決するための手段】
【０００７】
上記課題を解決するために、本発明は、開閉可能な一対のアームに頭髪を挟む発熱部材を設け、発熱部材により頭髪を梳いて整髪するヘアーアイロンにおいて、発熱部材がアームの開閉方向に対して斜めとなる加熱面を含むことを特徴とする。
【０００８】
好ましくは、発熱部材が横断面「へ」の字形に形成され、加熱面がアームの長手方向に延びるエッジを含み、エッジの両側に第１加熱面と第２加熱面とを備える。
【０００９】
より好ましくは、第１加熱面が第２加熱面よりも大きな面積で形成され、頭髪の先端部が第１加熱面で加熱された後に第２加熱面により加熱される。
【００１０】
第１加熱面の角度は、アームの開閉方向に対して３０°〜８０°であるのが好ましい。傾斜角度が３０°未満になると、発熱部材のエッジが頭髪を傷める可能性がある。傾斜角度が８０°を超えると、強いカールの加工に際して手首の負担が増える。このため、実用的には、第１加熱面の傾斜角度はアームの開閉方向に対して４５°〜７５°であるのが望ましい。
【００１１】
また、本発明のヘアーアイロンは、アームの持ち手を変えることなく、頭髪の巻き方向を容易に切り替えできるように、発熱部材をアームの長手方向に延びる軸線の周りで傾動可能に支持する支持部材と、発熱部材の加熱面を相互に対称となる２つの傾斜位置に保持する保持部材とを備えたことを特徴とする。
【００１２】
さらに、本発明のヘアーアイロンは、加熱後の頭髪を冷風によってクセ付けするために、少なくとも一方のアームに送風ファンと、送風ファンからの冷風を加熱後の頭髪に向けて吹き出す冷風吹出口を設けたことを特徴とする。
【発明の効果】
【００１３】
本発明のヘアーアイロンによれば、アームの開閉方向に対して斜めとなる加熱面を設けたので、楽な操作によって頭髪にカールを見栄えよく加工できるという効果がある。
【図面の簡単な説明】
【００１４】
【図１】本発明の一実施形態を示すヘアーアイロンの全体図である。
【図２】図１のヘアーアイロンを先端側から見た端面図である。
【図３】図１のヘアーアイロンを用いた整髪方法の一例を示す参考図である。
【図４】図１のヘアーアイロンを用いた別の整髪方法を示す参考図である。
【図５】発熱部材の変更例を示すヘアーアイロンの端面図である。
【図６】加熱面反転機構を備えたヘアーアイロンの全体図である。
【図７】加熱面反転機構を示すアームの断面図である。
【図８】加熱面反転機構の作用を示すアームの端面図である。
【図９】加熱面の好ましい傾斜角度を示すヘアーアイロンの端面図である。
【図１０】送風ユニットを示すアームの部分図である。
【図１１】送風ユニットを示すアームの断面図である。
【図１２】ヘアーアイロンの携帯型電源ユニットを示す斜視図である。
【図１３】従来のヘアーアイロンの使用例を示す参考図である。
【図１４】図１３のヘアーアイロンを用いた整髪方法を示す参考図である。
【発明を実施するための形態】
【００１５】
以下、本発明の実施形態を図面に基づいて説明する。図１に示すように、この実施形態のヘアーアイロン１は一対のアーム２を備え、アーム２の基端が枢着部３により開閉可能に連結されている。枢着部３にはバネ部材（図示略）が内蔵され、バネ部材の弾力によって両方のアーム２が開放方向へ付勢されている。
【００１６】
アーム２の先端部には、頭髪Ｈ（図３参照）を挟む一対の発熱部材４が相対向してアーム２の長手方向に延びるように設けられている。発熱部材４にはヒータ（図示略）が内蔵され、一方のアーム２に給電ケーブル５と、ヒータのＯＮ／ＯＦＦや温度を調節するための操作パネル６とが設けられている。
【００１７】
図２に示すように、発熱部材４は金属板で横断面「へ」の字形に形成され、その内面がアーム２の支持部８に支持され、外面全体が頭髪Ｈを加熱するための加熱面となっている。加熱面は、アーム２の長手方向に延びるエッジ９を備え、エッジ９の両側に第１加熱面１０と第２加熱面１１とが設けられている。エッジ９は、頭髪Ｈを傷めないように丸く面取り加工されている。
【００１８】
第１加熱面１０は第２加熱面１１よりも大きな面積で形成され、頭髪Ｈの先端部が第１加熱面１０で加熱された後に第２加熱面１１により加熱される。そして、第１加熱面１０は、アーム２の開閉方向（図２のＡ−Ａ線方向）に対して斜めとなるように設けられている。
【００１９】
なお、図２に示す実施例では、Ａ−Ａ線に対する第１加熱面１０の傾斜角度が６０°であり、第１加熱面１０と第２加熱面１１とのなす角度（エッジ角）が７５°である。
【００２０】
次に、上記構成のヘアーアイロン１を用いた整髪方法について説明する。図３に示すように、頭髪Ｈに比較的弱いカールを掛ける場合は、まず、必要量の頭髪Ｈを束ねてパネルを形成し、この頭髪パネルを２本のアーム２の発熱部材４で挟持する。次に、アーム２を閉じたまま、ヘアーアイロン１を上方へ移動し、発熱部材４によって頭髪Ｈを梳き、第１および第２加熱面１０，１１の発熱によって頭髪Ｈの先端部分にカールを加工する。
【００２１】
この実施形態のヘアーアイロン１によれば、第１加熱面１０がアーム２の開閉方向に対して傾斜しているので、２本のアーム２を閉じた時点で、頭髪Ｈは発熱部材４のエッジ９で屈曲した形状となる。したがって、アーム２を閉じたまま平行移動するだけの楽な操作によって、頭髪Ｈの先端部に緩やかなカールを美しく仕上げることができる。
【００２２】
また、図４に示すように、比較的強いカールを掛ける場合は、発熱部材４の第１加熱面１０で頭髪Ｈを挟んだ後に、アーム２を使用者の手前側に回転する。こうすれば、第１加熱面１０に予め傾斜角度が設定されているため、アーム２の回転角度以上の角度で頭髪Ｈを大きく屈曲させることができる。したがって、使用者は、手首を無理にねじることなく、頭髪Ｈの先端部に強めのカールを見栄えよく加工することができる。
【００２３】
特に、この実施形態のヘアーアイロン１によれば、発熱部材４が横断面「へ」の字形に形成され、第１加熱面１０がエッジ９を介して第２加熱面１１に連続しているので、頭髪Ｈがエッジ９から解放される時点で、第２加熱面１１の発熱を頭髪Ｈの最先端に伝え、この部分を内側（頭皮側）へ美しくカールさせることができる。また、エッジ９に丸みが設けられているので、頭髪Ｈを傷めるおそれがなく、梳き取りをスムーズに行うこともできる。
【００２４】
なお、本発明は上記実施形態に限定されるものではなく、以下に例示するように、発明の趣旨を逸脱しない範囲で各部の形状や構成を適宜に変更して実施することもできる。
（１）図５（ａ）に示すように、第１加熱面１０をアーム２の開閉方向（Ａ−Ａ線方向）に対して７０°の角度で形成すること。
（２）図５（ｂ）に示すように、第１加熱面１０をアーム２の開閉方向（Ａ−Ａ線方向）に対して４０°の角度で形成すること。
（３）一対のアーム２を長手方向の中間部で枢着し、ヘアーアイロン１の全体をはさみ型に構成すること。
【００２５】
（４）アーム２に加熱面反転機構２１を設けること（図６〜図８参照）。
（５）アーム２に送風ユニット３１を設けること（図１０、図１１参照）。
（６）ヘアーアイロン１に携帯型電源ユニット４１を装備すること（図１２参照）。
【００２６】
図６に示す加熱面反転機構２１は、どちらか一方のアーム２に第１加熱面１０，１１の向きを切り替えるためのスイッチ２２をＡ位置とＢ位置とＣ位置とにスライド可能に装備している。図７に示すように、２つの発熱部材４は、互いに平行な支持部材２３によってアーム２に傾動可能に支持されている。一方のアーム２には板バネからなる保持部材２４が設けられ、保持部材２４に発熱部材４の２本のピン２５，２６を係止する一対の嵌合部２７，２８が形成されている。そして、スイッチ２２のスライド操作に連動して一方の発熱部材４がアーム２の長手方向に延びる軸線の周りで傾動され、これに追従して他方の発熱部材４が同じくアーム２の長手軸線周りで傾動されるようになっている。
【００２７】
具体的には、スイッチ２２がＡ位置に切り替えられたときには、図７（Ａ）に示すように、ピン２６が保持部材２４の嵌合部２８に嵌合し、発熱部材４の第１加熱面１０がアーム２の開閉方向（Ａ−Ａ線方向）に対して７５°（２本のアーム２の相対面に対して１５°）傾いた第１の傾斜位置に保持される。スイッチ２２がＢ位置に切り替えられたときには、図７（Ｂ）に示すように、ピン２５，２６と嵌合部２７，２８の係合により、第１加熱面１０がアーム２の相対面と平行な平行位置に保持される。スイッチ２２がＣ位置に切り替えられたときには、図７（Ｃ）に示すように、ピン２５が嵌合部２７に嵌合し、第１加熱面１０がＡ−Ａ線の反対側へ傾いた第２の傾斜位置に保持される。なお、第１および第２の傾斜位置はＡ−Ａ線に関して左右対称の位置である。
【００２８】
使用にあたっては、図８（Ａ）に示すように、第１加熱面１０を第１の傾斜位置に保持してアーム２を前方（矢印Ｆ方向）へ回すことにより、頭髪Ｈに前向きカールを仕上げることができる。また、図８（Ｂ）に示すように、第１加熱面１０を平行位置に保持してアーム２を上方へ持ち上げることにより、癖が付いた頭髪Ｈをストレートに伸ばすことができる。さらに、図８（Ｃ）に示すように、第１加熱面１０を第２の傾斜位置に保持してアーム２を後方（矢印Ｒ方向）へ回すことにより、頭髪Ｈに後向きカールを仕上げることもできる。したがって、使用者は、持ち手を変えることなく、アーム２を利き手で持ったまま、頭髪Ｈの巻き方向を容易に切り替えることができる。
【００２９】
図９（ａ）に示すヘアーアイロン１は、アーム２の開閉方向（Ａ−Ａ線方向）に対して３０°傾斜した第１加熱面１０を備えている。また、図９（ｂ）に示すヘアーアイロン１は、アーム２の開閉方向（Ａ−Ａ線方向）に対して８０°傾斜した第１加熱面１０を備えている。第１加熱面１０の角度は、アーム２の開閉方向に対して３０°〜８０°であるのが好ましく、この範囲内であれば、使用者は楽な操作で見栄えのよいカールを加工できる。
【００３０】
図１０、図１１に示す送風ユニット３１は、一方のアーム２に送風ファン３２を内蔵するとともに、発熱部材４の長さ範囲に送風ファン３２からの冷風を加熱後の頭髪Ｈに向けて吹き出す冷風吹出口３３が設けられている。冷風吹出口３３は、アーム２の左右両側面に複数設けられ、発熱部材４の傾動に伴い、第２加熱面１１によって左右交互に開閉される。ヘアーアイロン１の使用中は、送風ファン３２が回転し、左右どちらか一方の吹出口３３が開き、吹出口３３から噴出した冷風（矢印Ｃ）により加熱直後の頭髪Ｈが強制冷却される。したがって、内向きカールまたは外向きカールを早期にクセ付けし、美しい仕上がりを維持することができる。
【００３１】
図１２に示すヘアーアイロン１には、携帯型電源ユニット４１が附属されている。携帯型電源ユニット４１は、使用者の腰に着用されるベルト４２上にバッテリーケース４３を備えている。バッテリーケース４３の一部には、ヘアーアイロン１を着脱自在に保持するホルダー４４が設けられている。使用時には、ケース４３に収納されたバッテリー（図示略）の電力が給電ケーブル５を介してヘアーアイロン１に供給される。したがって、このヘアーアイロン１によれば、大容量の外付け電源を使用し、商用電源ケーブルや内部電池を省いてヘアーアイロン１を軽量化し、使用者の立ち回りを楽にし、特に、業務用として軽快に使用できるという利点がある。
【符号の説明】
【００３２】
１    ヘアーアイロン
２    アーム
３    枢着部
４    発熱部材
９    エッジ
１０    第１加熱面
１１    第２加熱面
２１    加熱面反転機構
２２    スイッチ
２３    支持部材
２４    保持部材
３１    送風ユニット
３２    送風ファン
３３    冷風吹出口
４１    携帯型電源ユニット
４３    バッテリーケース
Ａ−Ａ    アームの開閉方向
Ｈ    頭髪
【図１】
2014217748.tif 000003
【図２】
2014217748.tif 000004
【図３】
2014217748.tif 000005
【図４】
2014217748.tif 000006
【図５】
2014217748.tif 000007
【図６】
2014217748.tif 000008
【図７】
2014217748.tif 000009
【図８】
2014217748.tif 000010
【図９】
2014217748.tif 000011
【図１０】
2014217748.tif 000012
【図１１】
2014217748.tif 000013
【図１２】
2014217748.tif 000014
【図１３】
2014217748.tif 000015
【図１４】
2014217748.tif 000016